(57)【特許請求の範囲】
【請求項１】
自動取引装置と前記自動取引装置を監視する監視装置とから構成される監視システムであって、
前記監視装置は、
ネットワークに接続し、前記自動取引装置と電文の送受信を行う第１の通信部と、
情報を記憶する第１の記憶部と、
前記監視装置を制御する第１の制御部と
を備え、
前記自動取引装置は、
前記ネットワークに接続し、前記監視装置と電文の送受信を行う第２の通信部と、
前記自動取引装置内の現金情報を取得する貨幣処理部と、
前記取得した現金情報を記憶する第２の記憶部と、
前記自動取引装置を制御する第２の制御部と
を備え、
前記第２の制御部は前記現金情報の変化の有無を判断し、前記現金情報に変化がある場合は第１の電文を作成し、前記現金情報に変化が無い場合は第２の電文を作成し、前記第２の通信部を介して前記第１の電文または前記第２の電文を前記監視装置に送信し、
前記第１の制御部は、前記第１の通信部を介して受信した前記第１の電文または前記第２の電文に基づき前記自動取引装置の稼働状態を判断する、
ことを特徴とする監視システム。
【請求項２】
請求項１に記載の監視システムであって、
前記第１の電文は、前記自動取引装置を特定する識別情報と、前記現金情報に変化があるか否かを示す情報と、前記現金情報とを含み、
前記第２の電文は、前記第１の電文から前記現金情報を削除した構成であることを特徴とする監視システム。
【請求項３】
請求項１に記載の監視システムであって、
前記第１の電文は、少なくとも前記自動取引装置を特定する識別情報と、前記現金情報に変化がある旨を示す情報と、前記現金情報とから構成され、
前記第２の電文は、少なくとも前記自動取引装置を特定する識別情報と、前記現金情報に変化が無い旨を示す情報とから構成されることを特徴とする監視システム。
【請求項４】
請求項１〜３のいずれか１項に記載の監視システムであって、
前記第１の記憶部は、前記第１の電文または前記第２の電文を一時的に記憶する一時記憶部を備え、
前記第１の制御部は、前記第１の電文または前記第２の電文を前記第１の通信部より受信した場合、前記一時記憶部に記憶することを特徴とする監視システム。
【請求項５】
請求項４に記載の監視システムであって、
前記第２の制御部は、前記監視装置に向けて初めて電文を送信する場合、前記第１の電文を送信することを特徴とする監視システム。
【請求項６】
請求項５に記載の監視システムであって、
前記第１の制御部は、時間を計測するタイマを備え、
前記第１の制御部は、前記第１の電文または前記第２の電文を受信してから次に第１の電文または第２の電文を受信するまでに計測した時間間隔（time duration）と予め定められた所定時間とを比較し、前記時間感覚が前記所定時間より長ければ前記自動取引装置の前記稼働状況が正常ではないと判定することを特徴とする監視システム。
【請求項７】
ネットワークに接続した第１の電文または第２の電文に基づき自動取引装置の稼働状態を判断する監視装置と間で前記第１の電文または前記第２の電文の送受信を行う自動取引装置であって、
前記ネットワークに接続し、前記監視装置と電文の送受信を行う通信部と、
前記自動取引装置内の現金情報を取得する貨幣処理部と、
前記取得した現金情報を記憶する記憶部と、
前記自動取引装置を制御する制御部と
を備え、
前記制御部は前記現金情報の変化の有無を判断し、前記現金情報に変化がある場合は、前記第１の電文を作成し、前記現金情報に変化が無い場合は前記第２の電文を作成し、前記通信部を介して前記監視装置に送信する、
ことを、特徴とする自動取引装置。
【請求項８】
請求項７に記載の自動取引装置であって、
前記第１の電文は、前記自動取引装置を特定する識別情報と、前記現金情報に変化があるか否かを示す情報と、前記現金情報とを含み、
前記第２の電文は、前記第１の電文から前記現金情報を削除した構成であることを特徴とする自動取引装置。
【請求項９】
請求項７に記載の自動取引装置であって、
前記第１の電文は、少なくとも前記自動取引装置を特定する識別情報と、前記現金情報に変化がある旨を示す情報と、前記現金情報とから構成され、
前記第２の電文は、少なくとも前記自動取引装置を特定する識別情報と、前記現金情報に変化が無い旨を示す情報とから構成されることを特徴とする自動取引装置。
【請求項１０】
請求項９に記載の自動取引装置であって、
前記制御部は、前記監視装置に向けて初めて電文を送信する場合、前記第１の電文を送信することを特徴とする自動取引装置。
【請求項１１】
ネットワークに接続し自動取引装置を監視する監視装置であって、
前記ネットワークに接続し、前記自動取引装置と電文の送受信を行う通信部と、
情報を記憶する記憶部と、
前記監視装置を制御する制御部と
を備え、
前記制御部は、前記通信部を介して前記自動取引装置から受信した前記自動取引装置の現金情報に変化がある場合に作成された第１の電文、または前記自動取引装置から受信した前記自動取引装置の現金情報に変化がない場合に作成された第２の電文に基づき前記自動取引装置が稼働状態を判断する、
ことを、特徴とする監視装置。
【請求項１２】
請求項１１に記載の監視装置であって、
前記第１の記憶部は、前記第１の電文または前記第２の電文を一時的に記憶する一時記憶部を備え、
前記第１の制御部は、前記第１の電文または前記第２の電文を前記通信部より受信した場合、前記一時記憶部に記憶することを特徴とする監視装置。
【請求項１３】
請求項１１または請求項１２に記載の監視装置であって、
前記制御部は、時間を計測するタイマを備え、
前記制御部は、前記第１の電文または前記第２の電文を受信してから次に第１の電文または第２の電文を受信するまでに計測した時間間隔（time duration）と予め定められた所定時間とを比較し、前記時間感覚が前記所定時間より長ければ前記自動取引装置の前記稼働状況が正常ではないと判定することを特徴とする監視装置。
【請求項１４】
自動取引装置と前記自動取引装置を監視する監視装置とから構成される監視システムの監視方法であって、
前記監視装置は、
ネットワークに接続し、前記自動取引装置と電文の送受信を行う第１の通信部と、
情報を記憶する第１の記憶部と、
前記監視装置を制御する第１の制御部と
を備え、
前記自動取引装置は、
前記ネットワークに接続し、前記監視装置と電文の送受信を行う第２の通信部と、
前記自動取引装置内の現金情報を取得する貨幣処理部と、
前記取得した現金情報を記憶する第２の記憶部と、
前記自動取引装置を制御する第２の制御部と
を備え、
前記第２の制御部は、
前記現金情報の変化の有無を判断するステップと、
前記現金情報に変化がある場合に第１の電文を作成するステップと、
前記現金情報に変化が無い場合に第２の電文を作成するステップと、
前記第２の通信部を介して前記第１の電文または前記第２の電文を前記監視装置に送信するステップと、を備え、
前記第１の制御部は、
前記第１の通信部を介して受信した前記第１の電文または前記第２の電文に基づき前記自動取引装置が稼働状態を判断するステップと、を備えることを特徴とする監視システムの監視方法。
【請求項１５】
請求項１４に記載の監視システムの監視方法であって、
前記第１の制御部は、時間を計測するタイマを備え、
前記第１の制御部は、
前記第１の電文または前記第２の電文を受信してから次に第１の電文または第２の電文を受信するまでに計測した時間間隔（time duration）と予め定められた所定時間とを比較するステップと、前記時間感覚が前記所定時間より長ければ前記自動取引装置の前記稼働状況が正常ではないと判定するステップとを備えることを特徴とする監視システムの監視方法。
【発明の詳細な説明】
【技術分野】
【０００１】
本発明は監視システム、自動取引装置、監視装置および監視システムの監視方法に関する。
【背景技術】
【０００２】
従来、自動取引装置では、監視装置に機器状態を管理されている。先行技術文献としては例えば、特開２００４―３０３０７３号公報（特許文献１）がある。この特許文献１には現金の預金、支払などを行なう装置の運用、保守、警備を行なう置運用方法、装置運用システムおよび装置運用プログラムに関し、各装置で１本の通信線で預金あるいは支払などの業務と、業務に付随する装置の保守および警備を行うことが記載されている。
【先行技術文献】
【特許文献】
【０００３】
【特許文献１】特開２００４−３０３０７３号公報
【発明の概要】
【発明が解決しようとする課題】
【０００４】
特許文献１では、自動取引装置の機器状態に変化があった場合、変化があったタイミングで自動取引装置が監視装置に通知する。また、監視装置から定期的に通信を行い、自動取引装置からの通知に基づいて生死確認を行う装置運用システムである。しかし、特許文献１の通信方式では通信頻度が多く、通信資源の乏しい環境では、ネットワーク負荷によるネットワーク障害の可能性を高めるという課題がある。
【０００５】
そこで、本発明は自動取引装置と自動取引装置を監視する監視装置との間でネットワーク負荷を抑えた通信を行う監視システムを提供することを目的とする。
【課題を解決するための手段】
【０００６】
上記課題を解決するために、代表的な本発明のシステムの１つは、自動取引装置と自動取引装置を監視する監視装置とから構成される監視システムであって、監視装置は、ネットワークに接続し、自動取引装置と電文の送受信を行う第１の通信部と、情報を記憶する第１の記憶部と、監視装置の動作を制御する第１の制御部とを備え、自動取引装置は、ネットワークに接続し、監視装置と電文の送受信を行う第２の通信部と、自動取引装置内の現金情報を取得する貨幣処理部と、取得した現金情報を記憶する第２の記憶部と、自動取引装置を制御する第２の制御部とを備え、第２の制御部は現金情報の変化の有無を判断し、現金情報に変化がある場合は第１の電文を作成し、現金情報に変化が無い場合は第２の電文を作成し、第２の通信部を介して第１の電文または第２の電文を監視装置に送信し、第１の制御部は、第１の通信部を介して受信した第１の電文または第２の電文に基づき自動取引装置の稼働状況を判断する監視システムである。
【発明の効果】
【０００７】
自動取引装置から定期的に送信される情報（例えば現金情報）に自動取引装置の生死確認情報を含めることで自動取引装置と監視装置の間でネットワーク負荷を抑えた通信が可能となる。上記した以外の課題、構成及び効果は、以下の実施形態の説明により明らかにされる。
【図面の簡単な説明】
【０００８】
【図１】自動取引装置、監視装置及び上位装置のシステム構成図である。
【図２】自動取引装置、監視装置及び上位装置の内部構成図である。
【図３】監視装置内の現金情報管理テーブルの一例を示す図である。
【図４】現金情報送信処理の処理フローを示すフローチャートである。
【図５】状態変化判定処理の処理フローを示すフローチャートである。
【図６】現金情報電文の一例を示す図である。
【発明を実施するための形態】
【０００９】
以下、本発明の実施形態について図面を用いて説明する。
【実施例１】
【００１０】
本実施例に係る自動取引装置２（例えば、ＡＴＭ（Ａｕｔｏｍａｔｅｄ Ｔｅｌｌｅｒ Ｍａｃｈｉｎｅ）や両替機等）、及び自動取引装置２の監視を遠隔地から行う監視装置１からなる監視システムについて図を参照して説明する。
【００１１】
図１は、自動取引装置２、監視装置１、上位装置３から構成される監視システムを説明するシステム構成図である。図２は自動取引装置２、監視装置１、上位装置３の内部構成を説明する図である。
【００１２】
自動取引装置２は、金融機関等に設置され、顧客の操作によって現金の入金や出金等の取引を行う自動取引装置２である。後述する通信制御部２７により中間装置４とネットワーク５を介して監視装置１及び上位装置３と接続されている。図１に示すように、監視装置１及び上位装置３に接続される自動取引装置２は複数台接続されていてもよいし、監視装置１及び上位装置３も複数あってもよい。また、自動取引装置２と監視装置１とにより取引システムが構成されることが通常であるが、取引システムに上位装置３も含める構成としてもよい。
【００１３】
上位装置３は、後述する各自動取引処理装置２の構成情報やステータス情報を管理している装置である。上位装置３が記憶部３５に記憶する構成情報３６は、監視装置１が有する構成情報１６のマスタであり、上位装置３のみが更新可能な情報である。また、ステータス情報３７は、監視装置１から送信されるステータス情報を格納した情報である。
【００１４】
監視装置１は、自動取引処理装置２を監視する装置であり、自動取引装置２から定期的に構成情報１６とステータス情報１７を受信する。このとき、構成情報１６内の識別情報に基づいてどの自動取引装置２から送信された情報であるかを確認し、必要に応じてステータス情報１７を更新する。また、自動取引装置２が正しく動作しているか否かの状態も合せて判定する。なお、自動取引装置２が動作しているか否かを自動取引装置２の生死と表現することもできる。
【００１５】
次に図２を用いて、本実施例の監視システムを構成する各装置の構成について説明をする。
監視装置１は遠隔して設置される自動取引装置２の機器情報を自動取引装置２から受信する通信制御部１２、監視装置１を操作する図示しない係員の操作を受け付ける入力操作部１３、係員に向けて各種画面を表示する表示部１４、後述する各種情報を記憶する記憶部１５、そしてこれら各部を制御する制御部１１などから構成される。
【００１６】
制御部１１は、ＣＰＵ,メモリ等のハード構成と、プログラム、データ等のソフトから構成され、プログラムを実行して各種処理を制御する。表示部１４はディスプレイ等の画面表示機能を、入力操作部１３はマウス或いは接触入力による入力の検知機能を各々もっている。これらは、情報を管理する者（係員）が、精査データ結果チェックを行う際、自動取引装置２の構成情報/ステータス情報を表示の操作等を受付ける。
【００１７】
記憶部１５は、監視装置１を動作させるプログラムの他に自動取引装置２を特定する情報（例えば、装置番号、装置位置情報、ＩＰアドレス、ＭＡＣアドレス等のいずれかやこれらの組合せ等）を対応付けて記憶する構成情報１６、後述する現金情報管理テーブル３０１を含めた自動取引装置２の状態情報を記憶するステータス情報１７、自動取引装置２に発生したエラーの内容を記録するエラーＡＴＭ情報１８等が記憶されている。また、図２に示すように監視装置１には一時的に情報を記憶する一時情報記憶部１９を備えた構成であってもよい。なお、記憶部１５及び一時記憶部１９は監視装置１内に有ってもよいし、監視装置１と別途のネットワークで接続されたストレージ装置であってもよい。
【００１８】
図３は記憶部１５のステータス情報１７が記憶する自動取引装置２の現金情報管理テーブル３０１の一例である。現金情報管理テーブル３０１は、自動取引装置２を特定する装置名３０２、各自動取引装置２に格納されている現金の数量を示す現金データ３０３、現金情報が自動取引装置２から監視装置１に通知された時刻を示す最終通知日時３０４を対応付けて格納する。監視装置１を操作する係員はステータス情報１７に記録された現金情報管理テーブル３０１にアクセスすることで、各自動取引装置２に収納された紙幣の量や自動取引装置２が正しく動作しているか否かの状態（生死）を把握する事ができる。即ち、最終通知時刻３０４が更新されない自動取引装置２は何らかの要因により稼働できていない（死んでいる）状態と判断できる。
【００１９】
次に図２に戻り、自動取引装置２について説明する。自動取引装置２は、制御部２１、表示・操作部２２、カード・明細書処理部２３、通帳処理部２４、紙幣処理部２５、硬貨処理部２６、通信制御部２７及び記憶部２８を備える。  表示・操作部２２は、本体正面に設けた表示器及びこの表示器の画面上に貼付したタッチパネルを有している。表示・操作部２２は、利用者に対する操作案内画面を表示器に表示する。また、表示・操作部２２は、タッチパネルの押下位置を検知することにより、暗証番号や取引内容（取引種別、入出金金額等）にかかる利用者の入力操作を受け付ける。
【００２０】
カード・明細書処理部２３は、本体正面に設けたカード挿入口に挿入されたキャッシュカード（以下、単にカードと称す。）を取り込み、このカードの磁気ストライプに記録されているカード情報（金融機関番号、店舗番号、口座番号等）の読み取りや、カード情報の書き換え等を行う。また、挿入されたカードがＩＣカードである場合には、必要に応じて、そのカードのＩＣチップに記録されているデータの読み取りや、書き換えも行う。更に、カード・明細書処理部２３は、取引内容を明細書に印字する印字部（不図示）を有する。カード・明細書処理部２３は、取引内容を印字した明細書を本体正面に設けた明細書放出口に放出する。
【００２１】
通帳処理部２４は、本体正面に設けた通帳挿入口に挿入された通帳を取り込み、この通帳に対して取引履歴を印字する印字部（不図示）を有している。また、通帳処理部２４は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッド等も有している。
【００２２】
紙幣処理部２５は、本体正面に設けた紙幣入出金口に挿入された紙幣の取り込みや装置内から出金される紙幣を紙幣入出金口に出金する。また、入金された紙幣や出金する紙幣の真偽・破れ・汚れ等を鑑別する鑑別部、紙幣を収納する紙幣収納部を備えている。
【００２３】
硬貨処理部２６は、本体正面に設けた硬貨入出金口に投入された硬貨の取り込みや装置内から出金される硬貨を硬貨入出金口に出金する。また、入金された硬貨や出金する硬貨の真偽・汚れ等を鑑別する鑑別部、硬貨を収納する硬貨収納部を備えている。なお、紙幣処理部２５と硬貨処理部２６とを合わせて貨幣処理部と呼ぶこともできる。
【００２４】
通信制御部２７は、ネットワーク５を介して監視装置１および上位装置３と接続し、電文の送受信を行う。
【００２５】
記憶部２８は、自動取引装置２を動作させるプログラムや図３に示した装置内の現金情報、図示しない装置の取引情報・エラー情報等を記憶する記憶部である。
【００２６】
制御部２１は、自動取引装置２の本体各部の動作を制御する制御部である。例えば、制御部２１は、通信制御部２７を介して監視装置１から精査の指示を受け付けると、紙幣処理部２５及び硬貨処理部２６に計数処理を実行させ、装置内の現金情報を記憶部２８に記憶させる計数処理を行う。なお、制御部２１の動作は記憶部２８に記憶されたプログラムをメモリに展開し動作させているため、例えば、複数のメーカの自動取引装置２が混在する銀行（マルチベンダの銀行とも言う）であってもプログラムをインストールすることにより全てのメーカにて同様に動作させることができる。
【００２７】
上位装置３はネットワーク５を介して各装置と通信する通信制御部３２、上位装置１を操作する係員の入力を受け付ける入力操作部３３、係員に対して情報を表示する表示部３４、構成情報３６およびステータス情報３７を記憶する記憶部３５、これら各部を制御する制御部３１などで構成されている。制御部３１は、ＣＰＵ,メモリ等のハード構成と、プログラム、データ等のソフト構成とから成り、各種処理を制御する。
【００２８】
表示部３４は画面表示機能を、入力操作部３３はマウス或いは接触入力による入力の検知機能を各々もっている。これらは、情報を管理する者が、精査データ結果チェックを行う際、自動取引装置２の構成情報/ステータス情報を表示の操作等を受付ける。
【００２９】
次に本実施例で行う各処理（現金情報送信処理、状態変化判定処理）について図４〜図６を参照して説明する。
【００３０】
まず、現金情報送信処理の詳細について、図４、図５を参照して説明する。図４は現金情報送信処理の処理フローを示すフローチャートである。自動取引装置２は起動時に、図４に示す現金情報送信処理を行う。なお本実施例では、予め監視者により監視装置１は現金情報の受信間隔である設定時間１と自動取引装置２は現金情報の再送信を行う間隔である設定時間２とが設定されているものとする。また本実施例では、通信プロトコルとしてＴＣＰ（Ｔｒａｎｓｍｉｓｓｉｏｎ Ｃｏｎｔｒｏｌ Ｐｒｏｔｏｃｏｌ）を用いた通信として説明するが、この通信方式に限定されるものではない。
【００３１】
始めに自動取引装置２が起動すると（Ｓ１０１）、自動取引装置２内の現金の状態変化を確認するため状態変化判定処理を行う（Ｓ１０２）。この状態変化判定処理の詳細については後述する。
【００３２】
次に、自動取引装置２は装置内の現金情報を監視装置１へと送信する（Ｓ１０３）。また、監視装置１への送信を行うとともに設定時間２を計測するタイマを起動させる。以降、自動取引装置２は設定時間２の経過毎に状態変化判定処理（Ｓ１０２）と現金情報送信（Ｓ１０３）を繰り返す(Ｓ１０４)。
【００３３】
監視装置１は自動取引装置２から送信された現金情報を受信したか否かを確認する（Ｓ１０５）、現金情報を受信している場合（Ｓ１０５：ＮＯ），監視装置１は送信された現金情報を確認し、自動取引装置２は正常稼働していると判定し、ステータス情報記憶部１７に受信した情報の内、現金情報と受信日時を記憶する(Ｓ１０６)。また、現金情報が適切である場合には、設定時間１を計測するタイマを起動させる。既に設定時間１を計測するタイマが起動している場合は、タイマによるカウントは継続される。現金情報を受信していない場合は（Ｓ１０５：ＹＥＳ）、そのまま次のステップに進む。
【００３４】
次に、受信日時から設定時間１が経過したか否かを確認する（Ｓ１０７）。受信日時から設定時間１が経過している場合（Ｓ１０７：ＹＥＳ）、自動取引装置２が何らかの要因により稼働していないと判定し、自動取引装置２に異常が発生したと判断する（Ｓ１０８）。このとき、表示部１４に自動取引装置２が稼働していない旨の警告を示す画面を表示してもよい。また、自動取引装置２の異常を判断する場合には、設定時間１を計測するタイマをストップさせリセットする。
【００３５】
一方、設定時間１以内に自動取引装置２から現金情報を受信した場合、正常稼働と判定し、現金情報をステータス情報記憶部１６に記憶する処理を行い（Ｓ１０７）、再び自動取引装置２から現金情報が送信されるのを待つ（Ｓ１０７：ＮＯ）。
【００３６】
以上のように監視装置１が自動取引装置２から受信した現金情報を使用して、自動取引処理装置２の現金情報の通信と稼働状態確認（生死確認）とを一括して実施することが可能となり、監視装置１から自動取引装置２に対して、現金情報の通信と別個の定期的な生死確認が不要となるため、ネットワーク負荷を抑えられる。
【００３７】
次に状態変化判定処理の詳細について、図５、図６を参照して説明する。図５は状態変化判定処理の処理フローを示すフローチャート、図６は現金情報電文の一例を示す図である。自動取引装置２は起動時と設定時間２が経過する毎に図５に示す状態変化判定処理を行う。当該処理を説明する前に当該処理で作成される電文について説明する。
【００３８】
図６（１）は自動取引装置２から監視装置１へ送信される電文（現金情報）の構成の一例を示す図である。本実施例の電文（現金情報）Ｆ１０１は、ヘッダ６０１、状態変化６０２、現金データ６０３から構成されるが、これに限定されるものではない。なお、図６に示す本実施例の電文は、ＯＳＩ参照モデルにおける第7層で作成されたデータの構造を示すものである。
【００３９】
ヘッダ６０１には、自動取引装置２の装置情報である店番と機番との情報がセットされる。状態変化６０２には、取引により自動取引装置２の現金情報に変化があったか否かを示す情報がセットされる。本実施例では、状態変化が無しの場合は０、状態変化が有りの場合は１がセットされる。現金データ６０３には自動取引装置２内の紙幣の金種毎の枚数と硬貨の金種毎の枚数との情報がセットされる。
【００４０】
図６（２）は自動取引装置２の現金情報に変化があった場合となかった場合とで送信される状態変化が有りの場合の電文Ｆ１０２と状態変化が無しの場合の電文Ｆ１０３の一例を示す図である。本実施例では、状態変化が「有」の場合は、現金情報電文Ｆ１０２にヘッダ６０１と、状態変化６０２（状態変化有りを示す「１」）と、現金データ６０３をセットされる。
【００４１】
また、状態変化が「無」の場合は、現金情報電文Ｆ１０３にヘッダ６０１、状態変化６０２（状態変化無しを示す「０」）とをセットし、現金データ６０３はセットしない（Ｆ１０３）。換言すると状態変化無しの電文Ｆ１０３は、状態変化有りの電文から現金データ６０３が削除されたものが作成されるとも言える。
【００４２】
次に図５に示す状態変化判定処理について説明する。自動取引装置２の紙幣処理部２５は図示しない紙幣収納庫に収納された紙幣の金種毎の数量を計上する。また、硬貨処理部２６は図示しない硬貨収納庫に収納された硬貨の金種毎の数量を計上する（Ｓ２０１）。なお、紙幣の数量情報と硬貨の数量情報とを合わせた情報が現金データ６０３に該当する。
【００４３】
次に当該計上処理が自動取引装置２の起動後に最初に行われた計上処理か否かを判断し（Ｓ２０２）、最初に行う形状処理の場合は、図６に示す電文（現金情報）Ｆ１０１にある状態変化６０２のフラグを状態変化有りを表す“１”を入力する。
【００４４】
次に自動取引装置２の起動後最初に行われた計上処理でない場合（Ｓ２０２：Ｎｏ）、制御部２１に記憶されている現金データ６０３と当該計上処理の結果とが異なるか否かを判断する（Ｓ２０３）記録されている現金データ６０３と異なる場合、すなわち前回現金情報送信時の現金データ６０３と、前記計上処理の結果が異なる場合には、図６に示す現金状態変化有の電文（現金情報）Ｆ１０２を通信制御部２７に送信情報として作成し、セットする（Ｓ２０５）。
【００４５】
一方、前記計上処理が自動取引装置２の起動後最初の計上処理でなく、かつ制御部２１に記憶されている現金データ６０３と同じ場合（前回現金情報送信時の現金データ６０３と、前記計上処理の結果が同じ場合）には、図６に示す現金状態変化無の電文（現金情報）Ｆ１０３を通信制御部２７に送信情報として作成し、セットする（Ｓ２０４）。いずれかの電文を通信制御部２７にセットした後、制御部２１にセットした現金データ６０３を記憶部２８に記憶する。
【００４６】
以上のように、自動取引装置２の現金データ６０３に変化が無い場合、監視装置１へ通知する情報を最小限とすることが可能となるため、自動取引装置２と監視装置１との間でネットワーク負荷を抑えることができる。
【００４７】
［変形例１］
実施例１では記憶部１５に自動取引装置２から送信された電文Ｆ１０１を記憶したが、本変形例では監視装置１の構成に一時情報記憶部１８を備え、一時情報記憶部１９に電文Ｆ１０１を一時的に記憶する構成について説明する。
【００４８】
一時情報記憶部１９に電文Ｆ１０１を記憶し、監視装置１のアプリケーションで電文を解析した後、ステータス記憶部１７に自動取引装置２の情報を記憶することができる。この一時情報記憶部１９を利用することにより、大量のデータの処理の効率化や、ある処理で異常終了した場合に、再実行した処理の時間短縮や原因データの特定が容易になるといった効果がある。
【００４９】
なお、本発明は前記した実施例に限定されるものではなく、様々な変形例が含まれる。例えば、前記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能、処理部、処理手段などは、それらの一部または全部を、例えば集積回路で設計するなどによりハードウェアで実現してもよい。また、前記の各構成、機能などは、プロセッサがそれぞれの機能を実現するプログラムを解釈し、実行することによりソフトウェアで実現してもよい。
【００５０】
各機能を実現するプログラム、テーブル、ファイルなどの情報は、メモリや、ハードディスク、ＳＳＤ（Ｓｏｌｉｄ Ｓｔａｔｅ Ｄｒｉｖｅ）などの記録装置、または、ＩＣ（Ｉｎｔｅｇｒａｔｅｄ Ｃｉｒｃｕｉｔ）カード、ＳＤカード、ＤＶＤなどの記録媒体に置くことができる。また、制御線や情報線は説明上必要と考えられるものを示しており、製品上必ずしも全ての制御線や情報線を示しているとは限らない。実際にはほとんど全ての構成が相互に接続されていると考えてもよい。
【符号の説明】
【００５１】
１・・・監視装置、２・・・自動取引装置、３・・・上位装置、４・・・中間装置、５・・・ネットワーク、１１・・・制御部、１２・・・通信制御部、１３・・・入力操作部、１４・・・表示部、１５・・・記憶部、１６・・・構成情報、１７・・・ステータス情報、１８・・・エラーＡＴＭ情報、１９・・・一時情報記憶部、２１・・・制御部、２２・・・表示・操作部、２３・・・カード・明細書処理部、２４・・・通帳処理部、２５・・・紙幣処理部部、２６・・・硬貨処理部、２７・・・通信制御部、２８・・・記憶部、３１・・・制御部、３２・・・通信制御部、３３・・・入力操作部、３４・・・表示部、３５・・・記憶部、３６・・・構成情報、３７・・・ステータス情報、３０１・・・た現金情報管理テーブル、Ｆ１０１、Ｆ１０２、Ｆ１０３・・・電文
【図１】
0006259159.tif 000002
【図２】
0006259159.tif 000003
【図３】
0006259159.tif 000004
【図４】
0006259159.tif 000005
【図５】
0006259159.tif 000006
【図６】
0006259159.tif 000007